(57)【特許請求の範囲】
【請求項１】
第１筐体と第２筐体とを互いに重ね合わせた状態で相対的に長手方向にスライドさせて、前記第１筐体及び前記第２筐体のいずれか一方の筐体の上面を前記第１筐体及び前記第２筐体のいずれか他方の筐体の下面で覆う閉成状態と前記一方の筐体の上面を露出させる開成状態とを形成するようにしたスライド機構であって、
前記第１筐体と前記第２筐体との間に設けられ、一端部が前記第１筐体の第１取付部に取り付けられると共に他端部が前記第２筐体の第２取付部に取り付けられて前記第１筐体及び前記第２筐体を所定の開閉位置から開成方向又は閉成方向にスライド付勢するスライド付勢手段を有するセミオート機構と、
前記第１筐体又は前記第２筐体に回動可能に取り付けられた前記第１取付部及び前記第２取付部のいずれか一方の取付部、及びこの一方の取付部を回動させて前記スライド付勢手段の付勢力により前記第１筐体及び前記第２筐体を前記閉成状態又は前記開成状態から前記開成状態又は前記閉成状態に自動的にスライド付勢する駆動手段を有するフルオート機構を備え、
前記第１筐体及び前記第２筐体の開閉操作を前記セミオート機構のスライド付勢手段を用いて前記セミオート機構による手動と前記フルオート機構による自動との両方で行えるように構成したことを特徴とする、携帯機器のスライド機構。
【請求項２】
前記スライド付勢手段が、コンプレッションスプリングであることを特徴とする、請求項１に記載の携帯機器のスライド機構。
【請求項３】
前記第１筐体及び前記第２筐体のスライド係合が、前記第１筐体及び前記第２筐体のいずれか一方の筐体に取り付けられるベース部材と、このベース部材にスライド可能に係合され、前記第１筐体及び前記第２筐体のいずれか他方の筐体に取り付けられるスライダーとで行われていることを特徴とする、請求項１又は２に記載の携帯機器のスライド機構。
【請求項４】
前記駆動手段が、前記一方の取付部に取り付けられたギヤ部材と、このギヤ部材に回転軸が噛合し、この回転軸を正逆回転させる駆動モータとからなることを特徴とする、請求項１〜３のいずれか１項に記載の携帯機器のスライド機構。
【請求項５】
前記駆動モータが、前記第１筐体及び前記第２筐体を手動で開閉動作するときに、前記回転軸が無負荷回転するモータであることを特徴とする、請求項４に記載の携帯機器のスライド機構。
【請求項６】
前記請求項１〜５のいずれか１項に記載の携帯機器のスライド機構を備えたことを特徴とする、携帯電話機。
【発明の詳細な説明】
【技術分野】
【０００１】
本発明は、例えば携帯電話機のような携帯機器を構成する第１筐体と第２筐体を互いに重ね合わせた状態で相対的に長手方向に開閉可能にスライドさせる際に用いて好適な携帯機器のスライド機構及びその携帯機器のスライド機構を備えた携帯電話機に関するものである。
【背景技術】
【０００２】
携帯機器の一種である携帯電話機において、キーボード部やマイク部等を上面に設けた送話部としての第１筐体と、ディスプレイ部やスピーカー部等を上面に設けた受話部としての第２筐体とを有し、これらの第１筐体と第２筐体が重なり合って第２筐体で第１筐体の上面を覆う閉成状態と、第２筐体を第１筐体に対して長手方向へスライドさせて第１筐体の上面を露出させる開成状態とを作り出す、スライド機構付きのものが市場に出回っている。このような携帯電話機のスライド機構としては、下記する特許文献１に記載されたものが公知である。
【特許文献１】特開２００３−１２５０５２号公報
【発明の開示】
【発明が解決しようとする課題】
【０００３】
この特許文献１に記載されたスライド機構は、スライドカバーとロックプレートを重ね合わせて固着したスライドケースを第２筐体の下面に取り付けると共に、スライドケース内に摺動可能に収装したスライダーを第１筐体の上面に取り付けることで、第２筐体を第１筐体に対してスライドさせることができるという構成のものであった。このような構成であると、第１筐体と第２筐体との相対的操作、即ち、スライド操作は全て手動で行わなくてはならず、操作性の点で難点があった。このため、本出願人は先に、半自動（セミオート）でスライド操作を行えるスライド機構を提案した。
【０００４】
このスライド機構は、例えば、第１の筐体の上面に取り付けられるベース部材と、そのベース部材に摺動可能に係合されたスライダーと、ベース部材とスライダーとの間に設けられ、スライダーをベース部材に対する所定の摺動位置から閉方向及び又は開方向へ摺動付勢させるトーションスプリングとで構成されており、スライダーがベース部材に対する所定の摺動位置から閉方向又は開方向へ摺動付勢されるので、第１の筐体と第２の筐体を相対的な所定のスライド位置から自動的に開閉できるものである。このように、第１の筐体と第２の筐体を所定のスライド位置から自動的に開閉することができるが、トーションスプリングでスライド付勢させる場合、トーションスプリングの設置箇所によっては良好にスライド付勢させることができない場合があり、構造が複雑になる問題があった。また、セミオートで開閉を行う場合、開ける方向と閉める方向との両方向において所定のスライド位置までは、手動でスライド操作を行わなければならないと共に、このスライド操作は付勢手段の付勢力に抗して行わなければならず、操作性の点でさらに改良することが望まれている。
【０００５】
本発明は、前記課題を解決するためになされたものであって、その目的は、操作性よく開閉操作を行える携帯機器のスライド機構及びその携帯機器のスライド機構を備えた携帯電話機を提供することにある。
【課題を解決するための手段】
【０００６】
上述した目的を達成するための本発明に係る携帯機器のスライド機構は、第１筐体と第２筐体とを互いに重ね合わせた状態で相対的に長手方向にスライドさせて、前記第１筐体及び前記第２筐体のいずれか一方の筐体の上面を前記第１筐体及び前記第２筐体のいずれか他方の筐体の下面で覆う閉成状態と前記一方の筐体の上面を露出させる開成状態とを形成するようにしたスライド機構であって、前記第１筐体と前記第２筐体との間に設けられ、一端部が前記第１筐体の第１取付部に取り付けられると共に他端部が前記第２筐体の第２取付部に取り付けられて前記第１筐体及び前記第２筐体を所定の開閉位置から開成方向又は閉成方向にスライド付勢するスライド付勢手段を有するセミオート機構と、前記第１筐体又は前記第２筐体に回動可能に取り付けられた前記第１取付部及び前記第２取付部のいずれか一方の取付部、及びこの一方の取付部を回動させて前記スライド付勢手段の付勢力により前記第１筐体及び前記第２筐体を前記閉成状態又は前記開成状態から前記開成状態又は前記閉成状態に自動的にスライド付勢する駆動手段を有するフルオート機構を備え、前記第１筐体及び前記第２筐体の開閉操作を前記セミオート機構のスライド付勢手段を用いて前記セミオート機構による手動と前記フルオート機構による自動との両方で行えるように構成したことを特徴とする。
【０００７】
この発明によれば、第１筐体及び第２筐体を互いに手動でスライドさせたとき、第１筐体及び第２筐体が所定の開閉位置になった後は開成方向又は閉成方向にセミオート機構のスライド付勢手段によってスライド付勢されるので、セミオートで開閉操作を行える。また、フルオート機構の駆動手段により一方の取付部を回動させることで、セミオート機構のスライド付勢手段の付勢力により第１筐体及び第２筐体が閉成状態又は開成状態から開成状態又は閉成状態に自動的にスライド付勢して、開閉する。このように、第１筐体及び第２筐体の開閉はセミオート機構のスライド付勢手段を用いてセミオート機構による手動とフルオート機構による自動との両方で行えるので、操作性に優れ、かつ、簡単な構造で開閉操作を行うことができる。
【０００８】
本発明に係る携帯機器のスライド機構において、前記スライド付勢手段が、コンプレッションスプリングであることが好ましい。また、本発明に係る携帯機器のスライド機構において、前記第１筐体及び前記第２筐体のスライド係合が、前記第１筐体及び前記第２筐体のいずれか一方の筐体に取り付けられるベース部材と、このベース部材にスライド可能に係合され、前記第１筐体及び前記第２筐体のいずれか他方の筐体に取り付けられるスライダーとで行われていることが好ましい。また、本発明に係る携帯機器のスライド機構において、前記駆動手段が、前記一方の取付部に取り付けられたギヤ部材と、このギヤ部材に回転軸が噛合し、この回転軸を正逆回転させる駆動モータとからなることが好ましい。また、本発明に係る携帯機器のスライド機構において、前記駆動モータが、前記第１筐体及び前記第２筐体を手動で開閉動作するときに、前記回転軸が無負荷回転するモータであることが好ましい。
【０００９】
また、本発明に係る携帯電話機は、前記の本発明に係る携帯機器のスライド機構を備えたことを特徴とする。この発明によれば、前述と同様に、第１筐体及び第２筐体を互いに手動でスライドさせるスライド付勢手段としてコンプレッションスプリングを用いたので、簡単な構造でセミオートで開閉を行える。また、セミオート機構とこのセミオート機能のスライド付勢手段を利用して第１筐体及び第２筐体を自動的にスライド付勢するフルオート機構とを備えたことで、第１筐体及び第２筐体の開閉がセミオート機構のスライド付勢手段を用いてセミオート機構による手動とフルオート機構による自動との両方で行えるので、操作性に優れ、かつ、簡単な構造で開閉操作を行うことができる。
【発明の効果】
【００１０】
以上説明したように本発明に係る携帯機器のスライド機構及び携帯電話機によれば、第１筐体及び第２筐体を互いに手動でスライドさせるスライド付勢手段としてコンプレッションスプリングを用いたので、簡単な構造でセミオートで開閉を行える。また、セミオート機構とこのセミオート機能のスライド付勢手段を利用して第１筐体及び第２筐体を自動的にスライド付勢するフルオート機構とを備えたことで、第１筐体及び第２筐体の開閉がセミオート機構のスライド付勢手段を用いてセミオート機構による手動とフルオート機構による自動との両方で行えるので、操作性に優れ、かつ、簡単な構造で開閉操作を行うことができる。
【発明を実施するための最良の形態】
【００１１】
以下、本発明に係る携帯機器のスライド機構の一例を添付図面に基づいて詳述する。
【００１２】
図１〜図３は本発明に係る携帯機器のスライド機構の一例を示す図である。本発明に係る携帯機器のスライド機構は、図１〜図３に示すように、第１筐体１１と第２筐体１２とを互いに重ね合わせた状態で相対的に長手方向にスライドさせて、第１筐体１１及び第２筐体１２のいずれか一方の筐体例えば第１筐体１１の上面を第１筐体１１及び第２筐体１２のいずれか他方の筐体例えば第２筐体１２の下面で覆う閉成状態と（図１Ａ（ａ）及び図４（ａ）参照。）と、第１筐体１１の上面を露出させる開成状態（図１Ｂ（ｄ）及び図４（ｃ）参照。）とを形成するものである。これら閉成状態と開成状態との間の状態が中立状態である（図１Ａ（ｂ）、図１Ｂ(ｃ）及び図４（ｂ）参照。）。
【００１３】
本発明に係る携帯機器のスライド機構１は、第１筐体１１と第２筐体１２との間に設けられ、一端部が第１筐体１１の第１取付部に取り付けられると共に他端部が第２筐体１２の第２取付部６に取り付けられて第１筐体１１及び第２筐体１２を所定の開閉位置（中立位置ということがある。）から開成方向又は閉成方向にスライド付勢するスライド付勢手段４を有するセミオート機構８と、第１取付部及び第２取付部６のいずれか一方の取付部であって第１筐体１１又は第２筐体１２に回動可能に取り付けられた例えば第１取付部、及び第１取付部を回動させてスライド付勢手段４の付勢力により第１筐体１１及び第２筐体１２を閉成状態又は開成状態から開成状態又は閉成状態に自動的にスライド付勢する駆動手段７を有するフルオート機構９とを備え、第１筐体１１及び第２筐体１２の開閉操作をセミオート機構８のスライド付勢手段４を用いてセミオート機構８による手動とフルオート機構９による自動との両方で行えるように構成したことに特徴がある。
【００１４】
本発明に係る携帯機器としては、特に限定されず、例えば、携帯電話機、ザウルス（商標）等の携帯情報端末機、電卓、ポケットコンピュータ、携帯ゲーム機等が挙げられ、特に携帯電話機が好ましいものとして挙げられる。なお、本発明において携帯機器としては、その他、灰皿、ケース蓋等も含まれる。すなわち、２つの筐体を互いにスライドさせるものであれば特に限定されない。また、本実施の形態では、携帯機器として携帯電話機１０について説明するが、これに限定されるものではない。
【００１５】
第１筐体１１は、携帯電話機１０の送話部を構成するものであり、キーボード部１１ａやマイク部（図示せず）等を上面に有している。第１筐体１１は、細長の略矩形状に形成されている。第２筐体１２は、同じく携帯電話機１０の受話部を構成するものであり、ＬＣＤなどのディスプレイ部１２ａ（図４参照。）、スピーカー部（図示せず）、カメラ部（図示せず）等を上面に有している。第２筐体１２は、第１筐体１１と略同じ細長の略矩形状に形成されている。なお、第１筐体１１及び第２筐体１２は、図１及び図２においていずれも想像線で記載してある。
【００１６】
これらの第１筐体１１と第２筐体１２とが互いに重ね合わされた閉成状態から例えば第１筐体１１に対して第２筐体１２をその長手方向の直線方向に相対的にスライド移動可能に第１筐体１１と第２筐体１２とが連結されて携帯電話機１０が構成されている。すなわち、この携帯電話機１０は、第１筐体１１の上面に第２筐体１２の下面が互いに重ね合わされてキーボード部１１ａ等を閉塞すると共に、第１筐体１１の上面に対して第２筐体１２がスライド移動してキーボード部１１ａ等を露出させることができるようになっている。
【００１７】
また、第１筐体１１の上面の両側部には、棚部１１ｃ、１１ｃが設けられている。また、第２筐体１２の下面の両側部には、棚部１１ｃ、１１ｃに摺接するスライド部１２ｃ、１２ｃが設けられている。これらの棚部１１ｃ、１１ｃ及びスライド部１２ｃ、１２ｃは、閉成状態のとき棚部１１ｃ、１１ｃの一方の端部とスライド部１２ｃ、１２ｃの一方の端部とが当接し、開成状態のとき棚部１１ｃ、１１ｃの他方の端部とスライド部１２ｃ、１２ｃの他方の端部とが当接するようにそれぞれ形成されていることが好ましい。尚、この棚部１１ｃ、１１ｃとスライド部１２ｃ、１２ｃは、省略しても良い。
【００１８】
第１筐体１１と第２筐体１２とのスライド可能な連結は、第１筐体１１及び第２筐体１２にそれぞれ係合部を設けて行うようにしてもよいし、図示するように、ベース部材２とスライダー３とを用いて行うようにしてもよい。
【００１９】
ベース部材２は、第１筐体１１及び第２筐体１２のいずれか一方の筐体例えば第２筐体１２の下面にねじやビス等により固着される。ベース部材２は、下面の上方近傍から下方近傍までの箇所に取り付けられる細長の略矩形状に形成されている。このベース部材２は、細長の略矩形状に形成されている基部２１と、基部２１の両側部を下方すなわち第１筐体１１側にそれぞれ略直角に折り曲げた側部２２とを有している。すなわち、ベース部材２は略コ字状に形成されている。ベース部材２は、例えばステンレス製の金属プレートをプレス加工することにより形成される。また、ベース部材２は、合成樹脂等の成型品であってもよい。基部２１すなわちベース部材２の幅は、第２筐体１２の幅より小さい、例えば、若干小さな寸法で形成されている。
【００２０】
ベース部材２の両側部２２の先端部は、内面（互いに対向する面）側に略直角に折り曲げられてスライド凹部２５として形成されている。スライド凹部２５は、ベース部材２の両側部の長手方向全域に形成してもよいし、その一部に間隔をあけて複数形成してもよい。
【００２１】
また、ベース部材２（基部２１）の長手方向の中央部付近であって一方の側部側には、第１取付孔２７が設けられている。この第１取付孔２７には、スライド付勢手段４の一端部を取り付けるための第２取付部６が取り付けられる。
【００２２】
スライダー３は、第１筐体１１及び第２筐体１２のいずれか他方の筐体例えば第１筐体１１の上面の上方に例えばねじやビス等により固着される。スライダー３は、第１筐体１１の幅方向に長い略矩形状に形成されている。スライダー３は、略矩形状に形成されている基部３１と、基部３１の両側部を第２筐体１２側にそれぞれ突出させた側部３２とを有している。すなわち、スライダー３は略コ字状に形成されている。スライダー３は、例えばステンレス製の金属プレートをプレス加工することにより形成される。また、スライダー３は、合成樹脂等の成型品であってもよい。
【００２３】
スライダー３の側部３２の外面（それぞれ対向する表面とは反対側の表面）間の長さは、ベース部材２の側部２２の折り曲げられた先端部間の長さより若干小さな寸法で形成されていることが好ましい。スライド側部３２の先端部は、対向する面と反対側に略直角に折り曲げられてスライド凹部２５にスライド係合するスライド凸部３５として形成されている。これらスライド凸部３５とベース部材２のスライド凹部２５とがそれぞれスライド係合して、スライダー３及びベース部材２を介して第２筐体１２及び第１筐体１１が互いにその長手方向に直線上にスライドするようになっている。すなわち、ベース部材２の側部２２の内側にスライダー３の側部３２がスライド係合することにより、ベース部材２とスライダー３とが略細長の矩形筒状に形成される。
【００２４】
なお、スライド凹部２５にスライド規制部材（図示せず）を設けて第２筐体１２及び第１筐体１１が閉成状態から開成状態までの間でスライドするようにしてもよいし、第２筐体１２及び第１筐体１１にスライド規制部材（図示せず）を設けて第２筐体１２及び第１筐体１１が閉成状態から開成状態までの間でスライドするようにしてもよい。また、ベース部材２を第２筐体１２に取り付け、スライダー３を第１筐体１１に取り付けたが、ベース部材を第１筐体に取り付け、スライダーを第２筐体に取り付けるようにしてもよい。
【００２５】
また、スライダー３（基部３１）の長手方向の中央部付近であって他方の側部（ベース部材２の他方の側部と対向する側の側部）側には、第２取付孔３７が設けられている。この第２取付孔３７には、スライド付勢手段４の他端部を取り付けるための回動シャフト５が回動可能に設けられている。
【００２６】
スライド付勢手段４は、セミオート機構８の主たる構成要素であり、ベース部材２とスライダー３とを互いに所定の開閉位置例えば、中立位置（中立状態）から開成方向又は閉成方向にセミオートでスライド付勢するものである。スライド付勢手段４は、ベース部材２とスライダー３との間に設けられている。このスライド付勢手段４としては、特に限定されず、例えば、コンプレッションスプリング４１等が用いられる。
【００２７】
このコンプレッションスプリング４１の一端部が第２取付部６に取り付けられていると共に、コンプレッションスプリング４１の他端部が回動シャフト５に対してその軸周りに回動することなく取り付けられている。このコンプレッションスプリング４１の他端部の回動シャフト５への取付は、特に限定されず、例えば、回動シャフト５の先端部に貫通孔を設け、この貫通孔にコンプレッションスプリング４１の他端部を挿入して取り付けるようにしてもよい。このようにコンプレッションスプリング４１は、ベース部材２とスライダー３との間に揺動可能に設けられ、第１筐体１１及び第２筐体１２を互いに手動でスライドさせたとき、第１筐体１１及び第２筐体１２が所定の開閉位置になった後は開成方向又は閉成方向にセミオートでスライドするようになっている。
【００２８】
フルオート機構９は、例えば、回動シャフト５と駆動手段７とを備えてなることが好ましい。回動シャフト５は、第１取付部であり、スライダー３の第２取付孔３７に回動可能に設けられている。回動シャフト５の第２取付孔３７を貫通した先端部にコンプレッションスプリング４１の他端部が取り付けられている。回動シャフト５の他方の端部には、駆動手段７のギヤ部材７１が取り付けられている。
【００２９】
駆動手段７は、回動シャフト５を回動させてセミオート機構８のコンプレッションスプリング４１をたわませてこのコンプレッションスプリング４１の付勢力により第１筐体１１及び第２筐体１２を閉成状態又は開成状態から開成状態又は閉成状態に自動的にスライド付勢するものである。駆動手段７は、回動シャフト５を回動させることができれば特に限定されず、例えば、回動シャフト５の他方の端部に取り付けられるギヤ部材７１と、このギヤ部材７１と噛合した回転軸７２を正逆回転させる駆動モータ７３とからなることが好ましい。
【００３０】
ギヤ部材７１は、特に限定されず、例えば、かさ歯車等である。駆動モータ７３は、回転軸７２を正逆回転できれば特に限定されない。回転軸７２の先端部には、ギヤ部材と噛合するかさ歯車等の噛合部材７４が取り付けられている。また、回転軸７２には、クラッチ機構７５が設けられていることが好ましい。クラッチ機構７５は、第１筐体１１及び第２筐体１２を手動で開閉動作するときに、回動シャフト５を無負荷回転させる、すなわち駆動モータ７３の負荷が回動シャフト５に掛からないようにするものであり、どのように構成してもよい。クラッチ機構７５は、例えば、駆動モータ７３が駆動されているときにのみ、駆動モータ７３により回転軸７２を回転駆動するようにしてもよい。これにより、第１筐体１１及び第２筐体１２を、駆動モータ７３の負荷が掛かることなく手動で開閉動作することができる。
【００３１】
また、第１筐体１１の左側側面の上方には、図４に示すように、スイッチ１７が設けられている。このスイッチ１７を操作すると、駆動モータ７３が駆動されて回動シャフト５が回動してコンプレッションスプリング４１がたわみ、このコンプレッションスプリング４１の付勢力により第１筐体１１及び第２筐体１２が閉成状態又は開成状態から開成状態又は閉成状態に自動的にスライド付勢するように構成されている。また、回動シャフト５に回動規制部材（図示せず）を設けて、回動シャフト５の回動範囲を規制するようにしてもよい。例えば、回動シャフト５の回動範囲は、０°〜１８０°の範囲にしてもよい。この場合、例えば、コンプレッションスプリング４１が接続されている取付端部が第１筐体１１の長手方向の一方の方向から他方の方向に向くように回動シャフト５に回動規制部材を設けるようにしてもよい。
【００３２】
また、駆動手段７としては、駆動モータ７３の代わりにアクチュエータを設けて回動シャフト５を回動させるようにしてもよい。この場合、回動シャフト５の回動範囲をアクチュエータのストロークの範囲に応じて設定することが好ましい。
【００３３】
次に本発明に係るスライド機構１及び携帯電話機１０の作用を説明する。
【００３４】
携帯電話機１０が使用されていない状態では、図１Ａ（ａ）及び図４（ａ）に示すように、第１筐体１１と第２筐体１２が互いに重なり合った閉成状態である。このとき、コンプレッションスプリング４１の付勢力によって、ベース部材２とスライダー３が閉成方向にスライド付勢されているので、第１筐体１１と第２筐体１２が閉成状態に保持されている。なお、この閉成状態をより確実に維持するために、ロック機構を設けるようにしてもよい。
【００３５】
この携帯電話機１０で通話等を行うには、例えば、第１筐体１１を固定した状態で第２筐体１２を開成方向に手動でスライドさせる。すると、コンプレッションスプリング４１の両端部間の長さが短くなると共に、コンプレッションスプリング４１に荷重がかかってその付勢力に抗してコンプレッションスプリング４１がたわむ。そして、図１Ａ（ｂ）に示すように、コンプレッションスプリング４１の両端部間の長さが最小になると、コンプレッションスプリング４１は最小に湾曲する。この状態が中立状態（図１Ａ（ｂ）及び図４（ｂ）参照。）である。
【００３６】
この中立状態を過ぎると、コンプレッションスプリング４１の両端部の位置が入れ替わると共にコンプレッションスプリング４１がその付勢力により元の形状に戻ろうとする。すなわち、コンプレッションスプリング４１の両端部が互いに離間する方向に付勢されるので、第２筐体１２が開成方向に自動的にスライド移動して、図１Ｂ（ｄ）及び図４（ｃ）に示すように、第１筐体１１及び第２筐体１２が開成状態になり、その状態に保持される。これにより、第１筐体１１の上面に設けたキーボード部１１ａが露出するので、通話及びキーボード操作が可能となり、携帯電話機１０を用いて通話等を行える状態になる。なお、この開成状態をより確実に維持するために、ロック機構を設けるようにしてもよい。よって、閉成状態から開成状態にスライド移動させるときにセミオートでスライド動作を行えることになる。
【００３７】
第２筐体１２を元の位置に戻すには、例えば、第１筐体１１を固定した状態で第２筐体１２を閉成方向にスライドさせる。すると、コンプレッションスプリング４１の両端部間の長さが短くなり、中立状態（図１Ａ（ｃ）参照。）を過ぎると、コンプレッションスプリング４１の両端部が互いに離間する方向に付勢されるので、第２筐体１２が閉成方向に自動的にスライド移動して、図１Ａ（ａ）及び図４（ａ）に示すように、第１筐体１１と第２筐体１２が閉成状態に保持される。よって、開成状態から閉成状態にスライドさせるときにセミオートでスライド動作を行えることになる。また、第１筐体１１及び第２筐体１２を互いに手動でスライドさせるスライド付勢手段４としてコンプレッションスプリング４１を用いたので、簡単な構造でセミオートで開閉を行える。
【００３８】
また、携帯電話機１０で通話等を行う場合、スイッチ１７を操作して自動的に開閉動作を行うようにしてもよい。すなわち、携帯電話機１０が閉成状態のときに例えば、第１筐体１１を固定した状態でスイッチ１７を操作すると、駆動モータ７３又はアクチュエータが駆動されて回転軸７２を介して回動シャフト５が図示例では左回りに例えば１８０°回転する。この回転により、セミオート機構８のコンプレッションスプリング４１に荷重がかかってその付勢力に抗してコンプレッションスプリング４１がたわんで（図１Ｂ（ｃ）参照。）、第２筐体１２が開成方向にスライド付勢される。すなわち、コンプレッションスプリング４１は、手動で開閉動作を行う場合と自動で開閉動作を行う場合とでは曲がる方向（たわむ方向）が逆となる。これにより、第２筐体１２が自動的に閉成状態から開成状態にスライドして、この開成状態に保持される。その結果、第１筐体１１の上面に設けたキーボード部１１ａが露出するので、通話及びキーボード操作が可能となる。
【００３９】
第２筐体１２を元の位置に戻すには、第１筐体１１を固定した状態でスイッチ１７を操作すると、駆動モータ７３又はアクチュエータが駆動されて回転軸７２を介して回動シャフト５が図示例では右回りに例えば１８０°回転する。この回転により、コンプレッションスプリング４１に荷重がかかってその付勢力に抗してコンプレッションスプリング４１がたわんで（図１Ａ（ｂ）参照。）、第２筐体１２が閉成方向にスライド付勢される。これにより、第２筐体１２が自動的に開成状態から閉成状態にスライドする。よって、スイッチ１７の操作により第１筐体１１及び第２筐体１２が自動的に開閉する。
【００４０】
したがって、本発明に係る携帯機器のスライド機構１及び携帯電話機１０は、第１筐体１１及び第２筐体１２を互いに手動でスライドさせるスライド付勢手段４としてコンプレッションスプリング４１を用いたので、簡単な構造でセミオートで開閉を行える。また、セミオート機構８とこのセミオート機能のスライド付勢手段４を利用して第１筐体１１及び第２筐体１２を自動的にスライド付勢するフルオート機構９とを備えたことで、第１筐体１１及び第２筐体１２の開閉がセミオート機構８による手動とフルオート機構９による自動との両方で行えるので、操作性に優れ、携帯電話機１０を使用する状況に応じて動作形態を選ぶことができ使い勝手に優れたものである。
【００４１】
また、セミオート機能のコンプレッションスプリング４１を利用してフルオート機構９による開閉操作を行うようにしたので、別途個別に自動で開閉操作を行う装置を設けた場合に比して部品点数を減らすことができると共に構造が簡単となる。従って、本発明に係る携帯機器のスライド機構１及び携帯電話機１０は、簡単な構造で安価に手動と自動との両方で開閉操作を行える。
【産業上の利用可能性】
【００４２】
以上説明したように本発明に係る携帯機器のスライド機構は、セミオート機構とこのセミオート機能のスライド付勢手段を利用して第１筐体及び第２筐体を自動的にスライド付勢するフルオート機構とを備えたことで、第１筐体及び第２筐体の開閉がセミオート機構のスライド付勢手段を用いてセミオート機構による手動とフルオート機構による自動との両方で行えるので、操作性に優れ、かつ、簡単な構造で開閉操作を行うことができることから、携帯機器の中でも特に携帯電話機に用いるものとして好適なものである。
【図面の簡単な説明】
【００４３】
【図１Ａ】本発明に係る携帯機器のスライド機構の一例を示す平面図で、（ａ）は携帯機器の閉成状態を示す図、（ｂ）は携帯機器を閉成状態から開成状態に手動でスライドさせる場合の中立状態と携帯機器を開成状態から閉成状態に自動でスライドさせる場合の中立状態とを示す図である。
【図１Ｂ】本発明に係る携帯機器のスライド機構の一例を示す平面図で、（ｃ）は携帯機器を開成状態から閉成状態に手動でスライドさせる場合の中立状態と携帯機器を閉成状態から開成状態に自動でスライドさせる場合の中立状態とを示す図、（ｄ）は携帯機器の開成状態を示す図である。
【図２】本発明に係る携帯機器のスライド機構の一例を示す概略断面図である。
【図３】本発明に係る携帯機器のスライド機構の一例を示す分解斜視図である。
【図４】本発明に係る携帯電話機の一例を説明する平面図で、（ａ）は携帯電話機の閉成状態を示す図、（ｂ）は携帯電話機の中立状態を示す図、（ｃ）は携帯電話機の開成状態を示す図である。
【符号の説明】
【００４４】
１  スライド機構
２  ベース部材
３  スライダ
４  スライド付勢手段
５  回動シャフト
６  第２取付部
７  駆動手段
８  セミオート機構
９  フルオート機構
１０  携帯電話機
１１  第１筐体
１２  第２筐体
７１  ギヤ部材
７２  回転軸
７３  駆動モータ
【図１Ａ】
0004738161.tif 000002
【図１Ｂ】
0004738161.tif 000003
【図２】
0004738161.tif 000004
【図３】
0004738161.tif 000005
【図４】
0004738161.tif 000006